(57)【要約】【課題】照明による視覚効果を乗員に付与して乗物用内装材の意匠性を高めつつ、乗物室内外方向において省スペース化した乗物用照明装置を提供する。【解決手段】(A)乗物室に面する板状の導光部材であって、(a)乗物室内側の面が乗物用内装材１４の意匠面を形成するとともに乗物室内に向かって光を出射する光出射面４１ａとされ、かつ、乗物室外側の面が凹凸形状を有するともに光を反射する光反射面４１ｂとされた本体部４１と、(b)本体部４１の外縁の一部に沿って設けられて光が入射する光入射部４２ａと、を有する導光板４０と、(B)光源３１と、光入射部４２ａに沿った長手状をなして光入射部４２ａに対向して配されるとともに、長手方向における一端から光源３１の光が入射されてその入射された光源３１からの光を導光しつつ発光する導光棒３２と、を有する光源ユニット３０と、を備えたものとする。【選択図】図２
2020075673.tif 000002
【特許請求の範囲】
【請求項１】
乗物用内装材に設けられた乗物用照明装置であって、
乗物室に面する板状の導光部材であって、(a)乗物室内側の面が前記乗物用内装材の意匠面を形成するとともに乗物室内に向かって光を出射する光出射面とされ、かつ、乗物室外側の面が光を反射する光反射面とされた本体部と、(b)前記本体部の外縁の一部に沿って設けられて光が入射する光入射部と、を有する導光板と、
光源と、前記光入射部に沿った長手状をなして前記光入射部に対向して配されるとともに、長手方向における一端から前記光源の光が入射されてその入射された前記光源からの光を導光しつつ発光する導光棒と、を有する光源ユニットと、
を備えた乗物用照明装置。
【請求項２】
前記導光板は、水平方向に長い形状のものとされ、前記本体部における上端と下端との一方が前記光入射部とされ、
前記導光棒が、前記本体部における前記上端と前記下端との前記一方に沿って配された請求項１に記載の乗物用照明装置。
【請求項３】
前記乗物用内装材が、車両のサイドドアの車室内面を構成するドアトリムであり、
前記本体部の前記光出射面が、前記ドアトリムが備えるアームレストの上方側に配され、
前記光源ユニットが、前記アームレストの車室外側に配された請求項１または請求項２に記載の乗物用照明装置。
【請求項４】
前記光反射面は、底面菱形の四角錘形状の凹所が複数形成されることで、凹凸形状を有するものとされた請求項１から請求項３のいずれか１項に記載の乗物用照明装置。
【発明の詳細な説明】
【技術分野】
【０００１】
本発明は、乗物用内装材に設けられる乗物用照明装置に関する。
【背景技術】
【０００２】
下記特許文献１には、車両の内装材に設けられた乗物用照明装置が記載されている。その乗物用照明装置は、半透明レンズの背後に複数の表示層を設けた積層型透明照明装置である。詳しく言えば、下記特許文献１に記載の乗物用照明装置は、ハウジングと、そのハウジング内に収容されてそれぞれが表示を有する透明光学素子からなる複数の層と、それら複数の層の各々に連結された複数の光源と、を備え、複数の層の各々を選択的に点灯させることで、それら複数の層の各々に形成された表示を組み合わせて、種々の視覚効果を創出することが可能なものとなっている。
【先行技術文献】
【特許文献】
【０００３】
【特許文献１】特表２０１７−５０６１８０号公報
【発明の概要】
【発明が解決しようとする課題】
【０００４】
上記特許文献１に記載の乗物用照明装置は、平たく言えば、それぞれが光源と透明光学素子とからなる複数の照明装置を平面的に重ねて利用することで、種々の視覚効果を付与することが可能なものである。しかしながら、複数の照明装置を平面的に重ねるため、乗物室内外方向の寸法が大きくなってしまうとともに、複数の光源を備えることで搭載するために比較的大きなスペースが必要となるという問題がある。
【０００５】
本発明は、そのような実情に鑑みてなされたものであり、照明による視覚効果を乗員に付与して乗物用内装材の意匠性を高めつつ、乗物室内外方向において省スペース化した乗物用照明装置を提供することを課題とする。
【課題を解決するための手段】
【０００６】
上記課題を解決するために本発明の乗物用照明装置は、
乗物用内装材に設けられた乗物用照明装置であって、
乗物室に面する板状の導光部材であって、(a)乗物室内側の面が前記乗物用内装材の意匠面を形成するとともに乗物室内に向かって光を出射する光出射面とされ、かつ、乗物室外側の面が光を反射する光反射面とされた本体部と、(b)前記本体部の外縁の一部に沿って設けられて光が入射する光入射部と、を有する導光板と、
光源と、前記光入射部に沿った長手状をなして前記光入射部に対向して配されるとともに、長手方向における一端から前記光源の光が入射されてその入射された前記光源からの光を導光しつつ発光する導光棒と、を有する光源ユニットと、
を備えた乗物用照明装置である。
【０００７】
この構成の乗物用照明装置は、光源ユニットが導光板の外縁側に配されている。そのため、乗物用内装材の意匠面となる導光板が配された箇所においては、その導光板の乗物室外側に乗物用照明装置に関する部材が何も存在しないため、この構成の乗物用照明装置は、乗物室内外方向における寸法が小さくされており、乗物室内外方向における省スペース化が図られている。ひいては、この構成の乗物用照明装置によれば、乗物用内装材自体の乗物室内外方向における寸法を小さくすることができる。また、この構成の乗物用照明装置によれば、乗物用内装材において、それを構成する他の部品等を乗物用照明装置の乗物室外側に配することもできる。
【０００８】
上記構成において、前記導光板は、水平方向に長い形状のものとされ、前記本体部における上端と下端との一方が前記光入射部とされ、前記導光棒が、前記本体部における前記上端と前記下端との前記一方に沿って配された構成とすることができる。
【０００９】
この構成の乗物用照明装置は、光源ユニットの配置位置に限定が加えられている。この構成の乗物用照明装置は、光源ユニットを、乗物用内装材の他の部材によって乗員から視認できないようにすることが容易であり、乗物用内装材の意匠性を高めることができる。
【００１０】
また、上記構成において、前記乗物用内装材が、車両のサイドドアの車室内面を構成するドアトリムであり、前記本体部の前記光出射面が、前記ドアトリムが備えるアームレストの上方側に配され、前記光源ユニットが、前記アームレストの車室外側に配された構成とすることができる。
【００１１】
車両のサイドドアのドアトリムは乗員に近い内装材であるため、照明による視覚効果を乗員に付与可能な上記構成の乗物用照明装置は、乗物室内の意匠性を高めるのに好適である。また、この構成の乗物用照明装置は、光源ユニットがアームレストの車室外側（背面側）に配されて、光源ユニットが乗員から視認できないようにされているため、乗物用内装材の意匠性を高めることができる。
【００１２】
また、上記構成において、前記光反射面は、底面菱形の四角錘形状の凹所が複数形成されることで、前記凹凸形状を有するものとすることができる。
【００１３】
この構成の乗物用照明装置は、導光板の乗物室外側の面が凹凸形状を有することで、反射面として機能するとともに、その凹凸形状をデザイン性の有するものとして、光の反射を利用してその凹凸形状を乗員に視認させることができる。したがって、この構成の乗物用照明装置は、乗物用内装材の意匠性を高めることができる。より詳しく言えば、この構成の乗物用照明装置は、光出射面（意匠面）と四角錘の底面とが平行で四角錘の頂点が光出射面側に位置するような複数の凹所によって、凹凸形状が形成されている。この構成の乗物用照明装置は、乗員にダイヤ状の輝きを視認させることができ、乗物用内装材の意匠性をより高めることができる。
【発明の効果】
【００１４】
本発明によれば、照明による視覚効果を乗員に付与して乗物用内装材の意匠性を高めつつ、乗物室内外方向において省スペース化した乗物用照明装置を提供することができる。
【図面の簡単な説明】
【００１５】
【図１】本発明の実施例の乗物用照明装置を搭載した車両を車室内からの視点において示す図である。
【図２】図１に示した乗物用照明装置を車両後方側からの視点において示す断面図である。
【図３】図２の要部を拡大して示す図である。
【図４】図２に示した乗物用照明装置を車室外側からの視点において示す図である。
【図５】図４に示した導光板を車室外側からの視点において拡大して示す図であり、その導光板に形成された凹凸形状を示す正面図である。
【発明を実施するための形態】
【００１６】
以下、本発明を実施するための形態として、本発明の実施例を、図を参照しつつ詳しく説明する。なお、本発明は、下記の実施例に限定されるものではなく、当業者の知識に基づいて種々の変更、改良を施した種々の態様で実施することができる。
【００１７】
本発明の実施例の乗物用照明装置１０を搭載した車両を、図１に、車室内からの視点において示している。本乗物用照明装置１０は、サイドドア１２の車室内面を構成する乗物用内装材としてのドアトリム１４に設けられている。サイドドア１２は、運転席側（車幅方向右側）と助手席側（車幅方向左側）とにそれぞれ設けられ、車両前方側の概して上下方向に延びる回動軸を中心として回動することで、開閉可能な構成とされている。サイドドア１２の上部には、ウインドウ１６が設けられている。本乗物用照明装置１０は、運転席側のサイドドア１２と助手席側のサイドドア１２との両者に設けられている。それら２つの乗物用照明装置１０は、同様の構成であるため、以下の説明においては、運転席側のサイドドア１２を代表して説明することとする。
【００１８】
ドアトリム１４は、サイドドア１２の車室内側部分を構成するものであり、ドアインナパネル１７に対して車室内側から取り付けられるものである（図２参照）。ドアトリム１４は、図１に示すように、ウインドウ１６の下方に配されており、ロアボード１４ａと、アッパボード１４ｂと、それらロアボード１４ａとアッパボード１４ｂとの間において車両前後方向に延びて前端部が車両前方側かつ車室内側に向かって延びる意匠部１４ｃとを、含んで構成されている。ロアボード１４ａの上端には、アームレスト１８が形成されており、意匠部１４ｃは、そのアームレスト１８の上方に配されている。
【００１９】
意匠部１４ｃは、本乗物用照明装置１０を主体として構成されるものであり、以下に、図２〜図５を参照しつつ、本乗物用照明装置１０について詳しく説明する。なお、各図において、車両前方および車両後方をＦＲおよびＲＲの矢印でそれぞれ示し、車両上方および車両下方をＵＰおよびＤＷの矢印でそれぞれ示し、車室内側および車室外側をＩＮおよびＯＵＴの矢印でそれぞれ示す。
【００２０】
本発明の乗物用照明装置１０は、図２および図４に示すように、点灯・消灯可能な光源ユニット３０を主体として構成される。その光源ユニット３０は、光源３１と、導光棒３２とを含んで構成される。光源ユニット３０は、点灯状態を制御可能なものとなっている。具体的には、光源３１が、例えば、照度や光色等を一定範囲で変更可能なＬＥＤを主体として構成されており、点灯・消灯を切り替え可能とされるとともに、点灯時においては、相対的に明るい高照度から暗い低照度の範囲で段階的に照度を変更可能とされている。また、光源３１は、それぞれ発光色が赤、緑および青のＬＥＤ素子を有し、各発光色の混合比により光色を変更することも可能とされている。
【００２１】
導光棒３２は、長手状の導光材料によって構成されている。導光材料とは、ほぼ透明で光を透過させる合成樹脂材料であり、本実施例では、アクリル樹脂である。導光棒３２は、長手方向における一端が光源３１と対向した状態で配され、その一端から光源３１の光が入射される。そして、導光棒３２は、図４に示すように、車両前後方向に延設されており、その延設方向における断面形状が、図３に示すように、ほぼ正方形状のものとなっており、下面側に、幅方向に延びる溝３２ａが延設方向に所定の間隔で並んで形成されている。導光棒３２は、それら複数の溝３２ａによって、内部を伝播する光が、上面側の光出射面３２ｂに向けて立ち上げられ、その立ち上げられた光が、光出射面３２ｂから出射するように構成されている。ちなみに、光源はＬＥＤに限定されず、種々のタイプのものを採用可能である。
【００２２】
また、本乗物用照明装置１０は、ドアトリム１４の意匠面の主体となるアウターレンズ４０を備えている。そのアウターレンズ４０は、概して板状の導光材料によって構成された導光部材、つまり、導光板である。なお、本実施例においては、ポリカーボネートからなる。アウターレンズ４０は、図２から図４に示すように、車室に面して意匠面を形成する本体部４１と、その本体部４１の下端から延び出して形成されて上記の光源ユニット３０を内部に収容した状態で組み付けるための収容部４２と、からなる。収容部４２は、図２および図３に示すように、車両前後方向からの視点にける断面形状が車室外側に開口する概してコの字形状のものである。そして、導光棒３２は、それの上面側の光出射面３２ｂが、収容部４２の内部上面４２ａと接する状態で、アウターレンズ４０の収容部４２に組み付けられている。つまり、収容部４２の内部上面４２ａが、本体部４１の下端（外縁の一部）に沿って設けられて光が入射する光入射部として機能する。なお、収容部４２の車室内側面には、遮光層４３が形成されており、車室内に光が漏れないようにされている。また、アウターレンズ４０は、取付孔４４ａを有する取付片４４を複数個（本実施例では３つ）備えており、ドアトリム１４を構成するロアボード１４ａに対して締結される。
【００２３】
アウターレンズ４０の本体部４１は、図４に示すように、車両前後方向（水平方向）に延びる長手状のものである。また、図２に示すように、車両前後方向からの視点において、上下方向における中央部分が車室内側に向かって膨らんだ板状に形成されたものである。そして、本体部４１は、導光棒３２から出射された光を導光しつつ車室内側面４１ａから車室内に向かって光を出射するものとなっている。その本体部４１の車室内側面４１ａは、上述したようにドアトリム１４の意匠面を形成するとともに車室内（乗物室内）に向かって光を出射する光出射面として機能する。また、その光出射面４１ａには、透明箇所，半透明箇所および不透明箇所によって意匠が描かれた意匠フィルム４５が貼着されている。
【００２４】
一方、本体部４１の車室外側面４１ｂは、図２に示すように、凹凸形状とされている。詳しく言えば、車室外側面４１ｂは、図５に示すように、底面菱形の四角錘形状の凹所５０がほぼ隙間なく複数形成されることで、凹凸形状を有するものとされている。さらに詳しく言えば、それら複数の凹所５０は、光出射面（車室内側面）４１ａと凹所５０における四角錘の底面とが平行で、四角錘の頂点が光出射面４１ａ側に位置するように形成されている。平たく言えば、本体部４１の車室外側面４１ｂには、いわゆる綾目（ダイヤ目）状の凹凸形状が形成されているのである。また、本体部４１の車室外側面４１ｂには、光を鏡面反射する反射層５１が形成さており、車室外側面４１ｂは、光を光出射面４１ａに向かって反射する光反射面として機能するものとなっている。なお、その反射層５１は、アルミニウム等の金属膜からなり、例えば、基材の表面に蒸着によって成膜されている。
【００２５】
以上のように、本乗物用照明装置１０は、光源ユニット３０がアウターレンズ４０の外縁側（下端側）に配されている。そのため、図２に示すように、ドアトリム１４の意匠面となるアウターレンズ４０の本体部４１が配された箇所においては、その本体部４１の車室外側に本乗物用照明装置１０に関する部材が何も存在しないため、本乗物用照明装置１０は、車室内外方向における幅が小さくされており、車室内外方向における省スペース化が図られている。ひいては、本乗物用照明装置１０によれば、ドアトリム１４自体の厚み、さらに言えば、サイドドア１２自体の厚みを小さくすることができるのである。換言すれば、本乗物用照明装置１０によれば、乗物用内装材において、それを構成する他の部品等を本乗物用照明装置１０の乗物室外側に配することもできる。
【００２６】
また、本乗物用照明装置１０は、アウターレンズ４０の本体部４１における車室外側面４１ｂが綾目（ダイヤ）状の凹凸形状を有することで、光反射面として機能するとともに、光の反射を利用してその凹凸形状を乗員に視認させることができる。したがって、本乗物用照明装置１０は、ドアトリム１４の意匠性を高いものとすることができる。
【００２７】
また、本乗物用照明装置１０は、本体部４１の光出射面４１ａが、アームレスト１８の上方側に配され、光源ユニット３０を収容した収容部４２が、アームレスト１８の裏側（車室外側）に配された構成とされている。そのような構成により、光源ユニット３０が乗員から視認できないようにされているため、光源ユニット３０が視認できて意匠性が低下するようなことがなく、ドアトリム１４の意匠性を高いものとすることができる。
【００２８】
上述のように、本乗物用照明装置１０は、アウターレンズ４０の収容部４２がアームレスト１８の裏側に配された構成とされることで、図２に示すように、アウターレンズ４０がアームレスト１８に接触した状態となっている。アームレスト１８には、例えば可燃性のある塩化ビニル製の表皮材が貼られる場合がある。導光板であるアウターレンズ４０に熱伝導率の高いものを用いると、高熱となる虞がある。そこで、本乗物用照明装置１０は、光源３１からの光を伝播させる導光棒３２に、透過性の高いアクリルを用い、その導光棒３２を覆うアウターレンズ４０に、アクリルより熱伝導率の低いポリカーボネートを用いているのである。そのような構成により、本乗物用照明装置１０は、表皮材等が熱を持つのを防ぎつつ、光源３１からの距離に起因する明るさのムラを抑えることができる
【００２９】
本実施例の乗物用照明装置１０は、導光板としてのアウターレンズ４０が矩形状のものとされていたが、それに限定されず、本発明の乗物用照明装置には、種々の形状のものを採用可能である。そして、その種々の形状の導光板に対して、外縁の一部から光源ユニットの光を入射するように構成すればよい。また、アウターレンズ４０の下端に光入射部が設けられて、光源ユニット３０はアウターレンズ４０の下方側に設けられていたが、アウターレンズ４０の上端に光入射部が設けられて、光源ユニット３０はアウターレンズ４０の上方側に設けられていてもよい。なお、その場合、そのような場合には、光源ユニット３０は、アッパボード１４ｂの裏側に際されることが望ましい。また、本乗物用照明装置１０は、車両用内装材であるドアトリム１４に採用されていたが、それに限定されず、本発明の乗物用照明装置には、インストゥルメントパネルや車両後方側のバックドアの内装材などに採用することもできる。さらに言えば、本発明の乗物用照明装置は、車両に限定されず、船舶や航空機等の乗物に採用することもできる。
【符号の説明】
【００３０】
１０…乗物用照明装置、１２…サイドドア、１４…ドアトリム〔乗物用内装材〕、１８…アームレスト、３０…光源ユニット、３１…光源、３２…導光棒、４０…アウターレンズ〔導光板〕、４１…本体部、４１ａ…車室内側面〔光出射面〕、４１ｂ…車室外側面〔光反射面〕、４２…収容部、４２ａ…内部上面〔光入射部〕、５０…凹所、５１…反射層
【図１】
2020075673.tif 000003
【図２】
2020075673.tif 000004
【図３】
2020075673.tif 000005
【図４】
2020075673.tif 000006
【図５】
2020075673.tif 000007